【手続補正書】
【提出日】平成18年1月30日(2006.1.30)
【手続補正１】
【補正対象書類名】明細書
【補正対象項目名】特許請求の範囲
【補正方法】変更
【補正の内容】
【特許請求の範囲】
【請求項１】  車両内の少なくとも１つの機器を制御する装置であって、
コマンド・データ・セットを有するコマンド認識モジュールを備え、該コマンド認識モジュールが、
手書き信号を受け取り、
前記少なくとも１つの機器を制御するために前記手書き信号を前記コマンド・データセットの少なくとも１つのコマンドと関連付け、
前記コマンドと関連したコマンド信号を前記機器へ通信する
ように適合された
装置。
【請求項２】  請求項１に記載の装置であって、前記コマンド認識モジュールは、マイクロフォンと該マイクロフォンに動作可能に接続された音声認識装置とを含み、
音声信号を受け取り、
前記少なくとも１つの機器を制御するために前記音声信号を前記コマンド・データ・セットの前記少なくとも１つのコマンドと関連付ける、
装置。
【請求項３】  請求項１に記載の装置であって、前記コマンド認識モジュールは、タッチパッドと、前記手書き信号を受け取るために該タッチパッドに動作可能に接続された手書き認識装置とを含む装置。
【請求項４】  請求項１に記載の装置であって、前記コマンド認識モジュールは、
マイクロフォンおよび前記マイクロフォンに動作可能に接続された音声認識装置を含み、それにより
音声信号を受け取り、
前記少なくとも１つの機器を制御するために前記音声信号を前記コマンド・データセットの前記少なくとも１つのコマンドと関連付ける
ように構成され、かつ、
タッチパッドおよび前記手書き信号を受け取るために前記タッチパッドに動作可能に接続された手書き認識装置を含む、
装置。
【請求項５】  請求項１に記載の装置であって、
複数のコマンドを有する前記コマンド・データ・セットと、
前記コマンド認識モジュールに動作可能に接続され、前記コマンド信号を前記少なくとも１つの機器へ通信するように動作する主モジュールと
を含む装置。
【請求項６】  請求項５に記載の装置であって、
前記少なくとも１つの機器と前記主モジュールとの間に接続され、前記コマンド信号を前記機器へ通信するように適合されている機器インターフェースを含む装置。
【請求項７】  請求項６に記載の装置であって、
音声信号を受け取るため、および前記少なくとも１つの機器を制御するために前記音声信号を前記コマンド・データ・セットの前記少なくとも１つのコマンドと関連付けるための、マイクロフォンおよび該マイクロフォンに動作可能に接続された音声認識装置と、
タッチパッド、および前記手書き信号を受け取るために前記タッチパッドに動作可能に接続された手書き認識装置と
を含む装置。
【請求項８】  請求項７に記載の装置であって、前記コマンド・データ・セットは英数字を含む、装置。
【請求項９】  請求項７に記載の装置であって、前記コマンド・データ・セットは記号を含む、装置。
【請求項１０】  請求項７に記載の装置であって、前記少なくとも１つの機器はセル式電話であり、前記コマンド・データ・セットはセル式電話コマンドおよび英数字を含む、装置。
【請求項１１】  請求項７に記載の装置であって、前記少なくとも１つの機器はパーソナル・コンピュータであり、前記コマンド・データ・セットはコンピュータ命令および英数字を含む、装置。
【請求項１２】  請求項７に記載の装置であって、前記コマンド・データ・セットは所定の音声信号のセットと関連する、装置。
【請求項１３】  請求項７に記載の装置であって、前記コマンド・データ・セットは所定の手書き信号のセットと関連する、装置。
【請求項１４】  請求項７に記載の装置であって、前記コマンド・データ・セットは所定の手書き信号および音声信号のセットと関連する、装置。
【請求項１５】  請求項７に記載の装置であって、前記コマンド・データ・セットは、ユーザによって、少なくとも１つの音声信号と関連付けられる、装置。
【請求項１６】  請求項７に記載の装置であって、前記コマンド・データ・セットは、ユーザによって、少なくとも１つの手による信号と関連付けられる、装置。
【請求項１７】  請求項７に記載の装置であって、前記コマンド・データ・セットは、前記ユーザによって変更可能な手書き信号および音声信号と関連付けられる、装置。
【請求項１８】  請求項７に記載の装置であって、前記機器は自動車アラーム装置である、装置。
【請求項１９】  請求項７に記載の装置であって、前記装置は複数の機器に接続し、前記主モジュールおよび機器インターフェースは共になって働いて前記コマンド信号を前記機器へ分配する、装置。
【請求項２０】  車両内の機器を制御する方法であって、
タッチパッドと、該タッチパッドに動作可能に接続された手書き認識装置とを含み、コマンド・データ・セットを有するコマンド認識モジュールを提供するステップと、
手書き信号を受け取るステップと、
前記少なくとも１つの機器を制御するために前記手書き信号を前記コマンド・データ・セットの少なくとも１つのコマンドと関連付けるステップと、
前記コマンドと関連したコマンド信号を前記機器へ通信するステップと
を備える方法。
【請求項２１】  請求項７に記載の装置であって、前記少なくとも１つの機器はセル式電話であり、前記コマンド・データ・セットは短いテキスト・メッセージを含む、装置。
【請求項２２】  請求項７に記載の装置であって、前記少なくとも１つの機器はパーソナル・コンピュータであり、前記コマンド・データ・セットは短いテキスト・メッセージを含む、装置。
【請求項２３】  請求項７に記載の装置であって、前記少なくとも１つの機器はラジオである、装置。
【請求項２４】  請求項７に記載の装置であって、前記少なくとも１つの機器はナビゲーション・システムであり、前記コマンド・データ・セットは場所を含む、装置。
【手続補正２】
【補正対象書類名】明細書
【補正対象項目名】００１２
【補正方法】変更
【補正の内容】
【００１２】
本発明は、付属の図面を参照しながら以下の詳細な説明を読むことにより、更に完全に理解および評価されるであろう。
本発明の詳細な説明
例示を目的とした図面を参照すると、本発明はコマンド認識装置２０（図１）において実施され、当該技術分野において知られている手書き認識技術の使用を通じての手書きコマンドを使用することにより、概念的にハンドル１８によって表した車両などにおける電子機器の操作を可能にする。既知の音声認識技術を更に手書き認識技術と組み合わせて、かかる電子機器、システムまたは装置と対話する信頼性があり確固とした方法を提供することができる。電子機器は、セル式電話２４、グローバル・ポジショニング・システム（ＧＰＳ）・ナビゲーション・システム２６、パーソナル・コンピュータ（ＰＣ）２８、ラジオ３０、警報（アラーム）システム３２、電動ウィンドウ（図示せず）、サンルーフ（図示せず）などを含むが、これらに限定されない。
【手続補正３】
【補正対象書類名】明細書
【補正対象項目名】００２３
【補正方法】変更
【補正の内容】
【００２３】
好適な実施形態においては、装置２０は２つの主要な動作モード、即ち、認識モードと調整モードとを有する。動作モードと調整（training、訓練）モードとの間の切り換えは、スイッチ５２によって制御される。スイッチを使用したモード間の切り換え方法は様々であってよい。例えば、ユーザが認識モードに入りたい場合に、スイッチを１回押して動作モードに入り、装置２０が口頭によるコマンドまたは書かれたコマンドを受け付け可能とするようにできる。ユーザが新たなコマンドのために装置２０を調整（train、訓練）したいのであれば、スイッチを素速く２回押して、主プログラムが調整モードへ切り替えるようにする。他のグローバル・コマンドは、セル式電話を介しての会話を終了させたり、あるいはコンピュータ上のアプリケーション・ウインドウを閉じるなどのために、スイッチと関連付けることができる。
【手続補正４】
【補正対象書類名】明細書
【補正対象項目名】００２４
【補正方法】変更
【補正の内容】
【００２４】
動作モード
動作モードにある装置２０は、マイクロフォン４２を介して音声コマンドを受け取る。マイクロフォン４２は、人間の声を受け取って、それを電気信号に変換する。この信号は、次に、音声認識装置３８によって増幅されてデジタル化される。デジタル化の後に、音声認識装置３８は処理ソフトウエアを利用して、音声信号を処理し、メモリに常駐するライブラリ内の一致する音声コマンドを探すことにより認識を行う。音声信号とライブラリからのコマンドとの関連付けに続いて、音声認識装置３８は、コマンド識別子を主プログラム・ソフトウエア・モジュール３５へ送り、主プログラム・ソフトウエア・モジュール３５は、それを、装置２０の現在の入力状態（例えば、機器が選択されており、機器コマンドの入力を待っている）に従って解釈し、コマンド・シーケンスを適切な機器へ送る。認識モジュール３８および４４、または主プログラム・モジュール３５がスピーカ４０を使用して、オプションとして、コマンド信号をコンピュータ生成の音声信号または他の再生信号に変換し、ユーザに、音声信号が受け取られて適切に理解された旨の指示としてのフィードバックを提供することができる。
【手続補正５】
【補正対象書類名】明細書
【補正対象項目名】００２６
【補正方法】変更
【補正の内容】
【００２６】
調整モード
それぞれの認識装置３８および４４を調整（訓練）することは、口頭でのコマンドまたは書かれた記号、ジェスチャ、単語、文字を、コマンドまたはコマンドシーケンスと関連付けることを意味し、これは、かかる関係を装置２０にプログラムすることにより、機器の少なくとも１つによって理解される。例えば、「上矢印」のジェスチャは「窓を閉める」を意味することができ、また、名前を口に出して言うことにより、セル式電話を作動させてその人の電話番号をダイヤルさせることができるであろう。本発明に使用する機器の通信プロトコルは、通常、装置２０で予めプログラムされる。パーソナル・コンピュータまたは他の容易に適合可能な計算装置を使用する場合には、本発明のものと通信するために、ＰＣ内のソフトウエアが提供されることができる。このような場合には、可能なコマンドの数は、ユーザによって使用されるソフトウエアと操作の型に左右される。コマンドを操作と関連付けるために、ユーザは調整工程の一部としてコマンドをプログラムすることができるであろう。警報器や窓などの機器を操作する場合には、装置２０はこれらの機器を動作させる実際の信号を有していなければならない。
【手続補正６】
【補正対象書類名】明細書
【補正対象項目名】００２７
【補正方法】変更
【補正の内容】
【００２７】
機器の例
本発明の動作の典型的な例はラジオに関して見いだされ、その場合、ラジオ用のコマンド・セット・ライブラリが装置２０に合わせて予め調整されているか、又は調整モードの間にユーザによって入力される。認識モードを選択した後に、ユーザが「ラジオ」という単語を言う。すると主プログラム・モジュール３５は、全ての認識されたコマンドをラジオへ送る。次に、ユーザは数字「５」と書くか又は声に出して言う。次に、主プログラムは認識した「５」を、ラジオによって「放送局番号５へジャンプする」と理解されるデジタルコマンドに変換し、それをインターフェース３４を介してラジオへ送る。ユーザが行った各操作についてフィードバックが提供されてもよい。例えば、ユーザが「ラジオ」と言うと、ＴＴＳ技術を使用してラウドスピーカが「ラジオが作動」と言う。ユーザが「５」と書くと、ラウドスピーカは「放送局５を選択」と言い、可能であればオプションで放送局の名称を伝える。